(57)【要約】【課題】  玩具本体が容器内の中央に常に浮遊するようにし、装飾品として飾っておいたり、販売の目的で店に陳列しておくような場合にも体裁が良く、さらに容器を素早く揺らしたり、転がしたりしても、玩具本体が正姿勢に復帰するのに時間がかかることなく、しかも飾っておいたり、陳列しておくような場合にも、容器の転がりが制限され、飾り易く、陳列棚から落下することがなく、取り扱い易い浮遊玩具を提供する。【解決手段】  液体１が収容される中空で球体とした容器２と、この容器２内に収容された玩具本体３から構成され、玩具本体３が容器２内の液体１に浮遊して正姿勢を保てるようにしており、前記玩具本体３が形象体７を基台８の上に固定したものとし、さらにこの基台８を円板形状とし、この円板の端面を容器２の内球面２ｓに沿う球帯面８ｓとし、この球帯面８ｓを容器２の中心より下方の内球面２ｓに接触するようにしている。【選択図】    図２
2006180911.tif 000002
【特許請求の範囲】
【請求項１】
液体（１）が収容される中空で球体とした容器（２）と、この容器（２）内に収容された玩具本体（３）から構成され、玩具本体（３）が容器（２）内の液体（１）に浮遊して正姿勢を保てるようにしており、前記玩具本体（３）が形象体（７）を基台（８）の上に固定したものとし、さらにこの基台（８）を円板形状とし、この円板の端面を容器（２）の内球面（２ｓ）に沿う球帯面（８ｓ）とし、この球帯面（８ｓ）を容器（２）の中心より下方の内球面（２ｓ）に接触するようにしていることを特徴とする浮遊玩具。
【請求項２】
液体（１）が収容される中空で球体とした容器（２）と、この容器（２）内に収容された玩具本体（３）から構成され、玩具本体（３）が容器（２）内の液体（１）に浮遊して正姿勢を保てるようにしており、前記玩具本体（３）が形象体（７）を基台（８）の上に固定したものとし、さらにこの基台（８）を容器（２）の内球面（２ｓ）と略同一曲率の外球面（８ｐ）を有する略半球体とし、この外球面（８ｐ）を容器（２）の中心より下方の内球面（２ｓ）に接触するようにしていることを特徴とする浮遊玩具。
【請求項３】
前記容器（２）自体が水に浮くようにしたことを特徴とする請求項１または２記載の浮遊玩具。
【請求項４】
前記容器（２）を二個の中空半球体（２ａ、２ａ）を嵌め合わせたものとし、その嵌め合わせた部分にリング（４）をその外側部が露出するようにして嵌め込んだものとしたことを特徴とする請求項１または２記載の浮遊玩具。
【請求項５】
前記基台（８）を形象体（７）よりも重量の大きいものにしたことを特徴とする請求項１または２記載の浮遊玩具。
【発明の詳細な説明】
【技術分野】
【０００１】
この発明は、水鳥などの水上浮遊動物の玩具本体、魚などの水中浮遊動物の玩具本体を、容器内部の水に浮遊させた状態で、揺らしたり、転がしたりして遊ぶ浮遊玩具に関するものである。
【背景技術】
【０００２】
従来、この種の浮遊玩具は、古くから存在し、内部に水を収容した密閉容器内に、只単に玩具本体を浮遊させて、揺らしたり、転がしたりして遊ぶものとしていた。
【０００３】
また、このような従来の浮遊玩具において、色々と工夫を凝らしたものが案出されている。例えば、図８、９に示したように、水１１の出し入れが可能な容器１２を構成し、内部に発光手段１３と振動検知手段１４と電源１５を備え、この振動検知手段１４と電源１５間のスイッチ１６、１７を外部に露出して、容器１２内の水１１によって通電するようにした玩具本体１８を構成し、この玩具本体１８を容器１２に収容して容器１２に振動を与えることにより、振動検知手段１４がオンとなり、これによって発光手段１３が発光するようにしている。したがって、このような従来の浮遊玩具は、容器１２に振動を与えることで発光させることができて興趣に富むものとなっている（特許文献１）。
【特許文献１】特開２００３−２５１０８１号公報（第２頁、図１、２）
【発明の開示】
【発明が解決しようとする課題】
【０００４】
しかしながら、古くから存在する浮遊玩具や図８、９に示した浮遊玩具では、容器１２内の水１１に只単に玩具本体１８を浮遊させているだけであるので、玩具本体１８が容器１２内の中央に常に浮遊しているとは限らず、容器１２の周縁に片寄ってしまうことがあり、浮遊玩具を装飾品として飾っておいたり、販売の目的で店に陳列しておくような場合には、体裁が良くないという問題点を有していた。
【０００５】
さらに、上記したような浮遊玩具では、容器１２を素早く揺らしたり、転がしたりすると玩具本体１８がその素早い動きについてこれず、しばらくは傾いたり、倒れたままの状態で、正姿勢に復帰するのに時間がかかるという問題点を有していた。
【０００６】
また、上記したような浮遊玩具では、容器１２を通常は球体としているので、装飾品として飾っておいたり、販売の目的で店に陳列しておくような場合に、自由に転がってしまうので、飾り難かったり、陳列棚から落下したりして、取り扱い難いという問題点を有していた。
【０００７】
そこで、この発明は、上記従来の問題点を解消するものであり、玩具本体が容器内の中央に常に浮遊するようにし、浮遊玩具を装飾品として飾っておいたり、販売の目的で店に陳列しておくような場合にも体裁が良く、さらに容器を素早く揺らしたり、転がしたりしても、玩具本体が正姿勢に復帰するのに時間がかかることなく、しかも装飾品として飾っておいたり、販売の目的で店に陳列しておくような場合にも、容器の転がりが制限され、飾り易く、陳列棚から落下することがなく、取り扱い易い浮遊玩具を提供することを目的としてなされたものである。
【課題を解決するための手段】
【０００８】
そのため、この発明は、液体１が収容される中空で球体とした容器２と、この容器２内に収容された玩具本体３から構成され、玩具本体３が容器２内の液体１に浮遊して正姿勢を保てるようにした浮遊玩具としており、前記玩具本体３が形象体７を基台８の上に固定したものとし、さらにこの基台８を円板形状とし、この円板の端面を容器２の内球面２ｓに沿う球帯面８ｓとし、この球帯面８ｓを容器２の中心より下方の内球面２ｓに接触するようにしている。
【０００９】
さらに、この発明は、液体１が収容される中空で球体とした容器２と、この容器２内に収容された玩具本体３から構成され、玩具本体３が容器２内の液体１に浮遊して正姿勢を保てるようにした浮遊玩具としており、前記玩具本体３が形象体７を基台８の上に固定したものとし、さらにこの基台８を容器２の内球面２ｓと略同一曲率の外球面８ｐを有する略半球体とし、この外球面８ｐを容器２の中心より下方の内球面２ｓに接触するようにしている。
【００１０】
そして、この発明の浮遊玩具は、前記容器２を二個の中空半球体２ａ、２ａを嵌め合わせたものとし、その嵌め合わせた部分にリング４をその外側部が露出するようにして嵌め込んだものとしている。
【００１１】
さらに、この発明の浮遊玩具は、前記基台８を形象体７よりも重量の大きいものにしている。
【発明の効果】
【００１２】
この発明の浮遊玩具は、以上に述べたように構成されているので、玩具本体が容器内の中央に常に浮遊するようになり、浮遊玩具を装飾品として飾っておいたり、販売の目的で店に陳列しておくような場合にも体裁が良く、さらに容器を素早く揺らしたり、転がしたりしても、玩具本体が正姿勢に復帰するのに時間がかかることなく、しかも装飾品として飾っておいたり、販売の目的で店に陳列しておくような場合にも、容器の転がりが制限され、飾り易く、陳列棚から落下することがなく、取り扱い易いものとなった。
【発明を実施するための最良の形態】
【００１３】
以下、この発明の浮遊玩具の実施の形態を、図面に基づいて詳細に説明する。
【００１４】
この発明の浮遊玩具は、図１〜３または図４〜６に示したように、液体１が収容される中空で球体とした容器２と、この容器２内に収容された玩具本体３から構成され、玩具本体３が容器２内の液体１に浮遊して正姿勢を保てるようにしている。また、前記浮遊玩具は、容器２自体が水に浮くようにすることもできる。
【００１５】
前記液体１は、通常、水を用いるが、必要に応じて、油などの水以外の液体を用いることもできる。この液体１の収容量は、玩具本体３を浮遊させたときの液面が、容器２の中心より下方となるようにするのが、容器２内における玩具本体３の収容部を広くできるので好ましい。また、前記液面は、容器２の中心より下方となるようにするのが、容器２自体を水に浮くようにする場合にも、容器２の水面上に出る部分が多くなり好ましい。
【００１６】
前記容器２は、透明または半透明の合成樹脂で形成された二個の中空半球体２ａ、２ａを嵌め合わせ、その嵌め合わせた部分を、必要に応じて、超音波溶接や高周波溶接するなどして、密閉状態を保てるようにしている。さらに、二個の中空半球体２ａ、２ａを嵌め合わせた部分には、リング４がその外側部を露出するようにして嵌め込まれている。すなわち、中空半球体２ａ、２ａの端面には、互いに嵌まり込むようにした段部５、５がそれぞれ形成されており、段部５、５どうしが嵌まり込んだとき、段部５、５間に周溝６が形成されるようにして、この周溝６にリング４の内側部が嵌まり込み、外側部が露出するようにしている。
【００１７】
前記玩具本体３は、例えば、水鳥や魚などの水上浮遊動物や水中浮遊動物の形象体７を、基台８の上に固定したものとしている。形象体７は、浮力を受けるように、例えば内部を中空にしたり、比重の小さい素材から成るものとしている。図１〜３に示した基台８は、円板形状としており、この円板の端面を容器２の内球面２ｓに沿う球帯面８ｓとし、この球帯面８ｓが容器２の中心より下方の内球面２ｓに接触するようにしている。また、前記図１〜３に示した基台８は、形象体７よりも重量の大きいものにすれば、玩具本体３の重心が下方に位置し、玩具本体３が容器２内の中央で液体１に浮遊した状態で安定した正姿勢を保つことができる。なお、前記基台８を形象体７よりも重量の大きいものにするには、基台８そのものを金属などの比重の大きいものにすればよい。さらに、図４〜６に示した基台８は、容器２の内球面２ｓと略同一曲率の外球面８ｐを有する略半球体、図示したものでは半球体よりも少し小さい球体としており、この外球面８ｐが容器２の中心より下方の内球面２ｓに接触するようにしている。また、図４〜６に示した基台８も、形象体７よりも重量の大きいものにすれば、玩具本体３の重心が下方に位置し、玩具本体３が容器２内の中央で液体１に浮遊した状態で安定した正姿勢を保つことができる。そして、玩具本体３の重心が下方に位置するので、容器２を素早く揺らしたり、転がしたりしても、玩具本体３が正姿勢に復帰するのに時間がかかることがない。なお、前記基台８を形象体７よりも重量の大きいものにするには、基台８の内部を中空にして、その中空部に形成した嵌込部９に重り１０を嵌め込むなどして、基台８の内部に重り１０を設置すればよい。
【００１８】
前記リング４は、ゴムなどの弾性を有するものとしており、浮遊玩具を飾っておいたり、陳列しておくような場合には、前記周溝６に嵌まり込ませておき、浮遊玩具を揺らしたり、転がしたりして遊ぶ場合には、前記周溝６から外しておくのが好ましい。すなわち、リング４を周溝６に嵌まり込ませている状態では、図７に示したように、容器２の転がりを一定範囲（容器２の半径をｒとすると、半径１／２πｒの円内）におさえることができるので、浮遊玩具を飾っておいたり、陳列しておくような場合などには都合のよいものなる。また、リング４を周溝４から外した状態では、容器２の転がりが制限されることなく自由に転がるので、浮遊玩具で遊ぶ場合などには都合のよいものなる。
【００１９】
さらに、この発明の浮遊玩具は、前記したように飾っておいたり、陳列しておく場合や揺らしたり、転がしたりして遊ぶ場合の他、景品取りゲーム機に使用する景品としても用いることができる。例えば、シャベル型のアームを操作して景品をすくい上げ、スライド運動を繰り返しているステージ上にのせて、景品を落として取る景品取りゲーム機においては、容器２が揺れても、前記リング４によって転がりが制限されるので、ステージから転がり落ちにくくすることができる。さらに、水に浮かんだ景品を、金魚すくいの要領ですくって取る景品取りゲーム機においては、水に浮かんだ状態でも、玩具本体３が容器２内の中央で液体１に浮遊して正姿勢を保っているので、取ろうとする玩具本体３の形象体が見分け易くなる。
【図面の簡単な説明】
【００２０】
【図１】この発明の浮遊玩具の一実施形態を示す分解斜視図である。
【図２】図１に示すこの発明の浮遊玩具の断面図である。
【図３】図１に示すこの発明の浮遊玩具の玩具本体を分解した状態の断面図である。
【図４】この発明の浮遊玩具の他の実施形態を示す分解斜視図である。
【図５】図４に示すこの発明の浮遊玩具の断面図である。
【図６】図４に示すこの発明の浮遊玩具の玩具本体を分解した状態の断面図である。
【図７】この発明の浮遊玩具の転がり範囲を示す説明図である。
【図８】従来の浮遊玩具の一例を示す断面図である。
【図９】図８に示す従来の浮遊玩具の作動機構の一部切欠断面図である。
【符号の説明】
【００２１】
１  液体
２  容器
２ａ  中空半球体
２ｓ  内球面
３  玩具本体
４  リング
７  形象体
８  基台
８ｓ  球帯面
８ｐ  外球面
【図１】
2006180911.tif 000003
【図２】
2006180911.tif 000004
【図３】
2006180911.tif 000005
【図４】
2006180911.tif 000006
【図５】
2006180911.tif 000007
【図６】
2006180911.tif 000008
【図７】
2006180911.tif 000009
【図８】
2006180911.tif 000010
【図９】
2006180911.tif 000011